(57)【特許請求の範囲】
【請求項１】
下面開口した上セードを有する灯具と、前記上セードの開口内に配設されるランプソケットに着脱自在に装着されるランプと、前記上セードの開口内であって前記ランプの上方に配置されて同ランプの光を下方へ反射する反射板とを備え、前記上セードの内壁面の相対向する両側位置に前記反射板の両側端部を位置決めするリブを設けた照明器具において、前記両側のリブの下端部は前記上セードの内壁面側に向かって斜め上方へ傾斜し、前記反射板の両側端部は前記リブの下端部に沿った角度で外側斜め上方へ傾斜するように折り曲げられて形成されており、前記反射板の折り曲げられた両側端部が前記両側のリブの下端部に下側から当接係合されて、前記上セードに前記反射板が取付けられるようになしたことを特徴とする照明器具。
【請求項２】
前記リブは、前記上セードの相対向する両側内壁面各々において、前記上セードの長手方向に沿って２つ設けられることを特徴とする請求項１記載の照明器具。
【請求項３】
前記リブは、前記上セードの下面開口側の端面に沿って設けられることを特徴とする請求項２記載の照明器具。
【請求項４】
前記反射板の両側端部は、前記上セードの長手方向に沿ったものであることを特徴とする請求項１記載の照明器具。
【請求項５】
下面開口した上セードを有する灯具と、前記上セードの開口内に配設されるランプソケットに着脱自在に装着されるランプと、前記上セードの開口内であって前記ランプの上方に配置されて同ランプの光を下方へ反射する反射板とを備え、前記上セードの内壁面の相対向する両側位置に前記反射板の両側端部を位置決めするリブを設けた電気スタンドにおいて、前記両側のリブの下端部は前記上セードの内壁面側に向かって斜め上方へ傾斜し、前記反射板の両側端部は前記リブの下端部に沿った角度で外側斜め上方へ傾斜するように折り曲げられて形成されており、前記反射板の折り曲げられた両側端部が前記両側のリブの下端部に下側から当接係合されて、前記上セードに前記反射板が取付けられるようになしたことを特徴とする電気スタンド。
【発明の詳細な説明】
【０００１】
【発明の属する利用分野】
本発明は照明器具に関するものであり、更に詳しくは電気スタンドに関する。
【０００２】
【従来の技術】
本発明に係る従来例の灯具の側面断面図を図６に示す。
【０００３】
この電気スタンドは、ランプが着脱自在に装着されるランプソケットを備えた灯具と、その先端部分に灯具が嵌着される支柱３と、支柱３の基端が固定されて机上等に載置されるベースとで構成されるものである。
【０００４】
灯具は、上セード１１、下セード（図示しない）、反射板１５、ランプソケット（以下、ソケットと呼ぶ。）１３等からなり、上セード１１の開口下面を略覆う様に下セードと金属製の反射板１５とが配設されている。上セード１１の背面（図６中の支柱３側）略中央には穴部が設けられている。上セード１１の支柱３から離れた内壁面であって上セード１１の長手方向には、反射板１５を位置決めするリブ４５が、その下端面が上セード１１の開口面に略平行になるように形成されている。そして、リブ４５に反射板１５の端部を当接することにより反射板１５を配設する。
【０００５】
支柱３は、内部に電線を通線可能なアーム２２が挿入されており、アーム２２を納装するように樹脂製のパイプで覆われている。その樹脂製パイプは、灯具に近い上半分側がフレシキブルパイプ状になっており、その部分を伸縮することにより灯具を自在に動かすことができる。そして、アーム２２の先端部に形成されたネジ部と支柱３の先端部とを穴部に貫通させてから、灯具内部でアーム２２のネジ部に六角ナット３５及びワッシャ３６を螺着させることにより、アーム２２（及び支柱３）の先端に灯具を固定配置する。
【０００６】
ここで、反射板１５はランプ４の光を灯具の下方へ反射するものである。
【０００７】
なお、支柱３やベースなどの構成は、図６に示す灯具に適合するものであれば何でも良い。
【０００８】
【発明が解決しようとする課題】
しかし、前記従来例には以下に示す様な問題点が生じてしまう。
【０００９】
前記従来例では、上セード１１や反射板１５の成形の際には、その成形条件などによって、上セード１１や反射板１５に反りや歪みが生じてしまうことがあり、上セード１１と反射板１５との間に隙間が生じてしまうことがあり、反射板１５を確実に上セード１１の内壁面に固定することができなくなってしまう。また、反射板１５のガタツキや異音発生の原因にもなりやすい。
【００１０】
本発明は前記全ての問題点に鑑みてなされたもので、その目的とするところは、反射板を確実に上セードの内壁面に固定することが可能な照明器具を提供することである。
【００１１】
【課題を解決するための手段】
前記問題点を解決するために、請求項１記載の発明によれば、下面開口した上セード１１を有する灯具５と、上セード１１の開口内に配設されるランプソケット１３に着脱自在に装着されるランプ４と、上セード１１の開口内であってランプ４の上方に配置されて同ランプ４の光を下方へ反射する反射板１５とを備え、上セード１１の内壁面の相対向する両側位置に反射板１５の両側端部を位置決めするリブ３７を設けた照明器具において、両側のリブ３７の下端部は上セード１１の内壁面側に向かって斜め上方へ傾斜し、反射板１５の両側端部はリブ３７の下端部に沿った角度で外側斜め上方へ傾斜するように折り曲げられて形成されており、反射板１５の折り曲げられた両側端部が両側のリブ３７の下端部に下側から当接係合されて、上セード１１に反射板１５が取付けられるようになしたことを特徴とする。
【００１２】
請求項２記載の発明によれば、請求項１記載の照明器具において、リブ３７は、上セード１１の相対向する両側内壁面各々において、上セード１１の長手方向に沿って２つ設けられることを特徴とする。
【００１３】
請求項３記載の発明によれば、請求項２記載の照明器具において、リブ３７は、上セード１１の下面開口側の端面に沿って設けられることを特徴とする。
【００１４】
請求項４記載の発明によれば、請求項１記載の照明器具において、反射板１５の両側端部は、上セード１１の長手方向に沿ったものであることを特徴とする。
【００１５】
請求項５記載の発明によれば、下面開口した上セード１１を有する灯具５と、上セード１１の開口内に配設されるランプソケット１３に着脱自在に装着されるランプ４と、上セード１１の開口内であってランプ４の上方に配置されて同ランプ４の光を下方へ反射する反射板１５とを備え、上セード１１の内壁面の相対向する両側位置に反射板１５の両側端部を位置決めするリブ３７を設けた電気スタンドにおいて、両側のリブ３７の下端部は上セード１１の内壁面側に向かって斜め上方へ傾斜し、反射板１５の両側端部はリブ３７の下端部に沿った角度で外側斜め上方へ傾斜するように折り曲げられて形成されており、反射板１５の折り曲げられた両側端部が両側のリブ３７の下端部に下側から当接係合されて、上セード１１に反射板１５が取付けられるようになしたことを特徴とする。
【００１６】
【実施の形態】
本発明に係る実施の形態の全体斜視図を図１に、その分解斜視図を図２に、その正面図を図３（ａ）に、その右側面図を図３（ｂ）に、その側面断面図を図４に、その灯具の側面断面図を図５に示す。
【００１７】
以下、図１乃至図５を参照して説明する。
【００１８】
この電気スタンドは、ランプ（ここでは、片口金蛍光灯）４が着脱自在に装着されるランプソケット（以下、ソケットと呼ぶ。）１３を備えた灯具５と、その先端部分に灯具５が嵌着される支柱３と、支柱３の基端が固定されて机上等に載置されるベース１とで構成されるものである。
【００１９】
ベース１には先端に電源プラグを備える電源コード９が設けられており、電源プラグと電源コード９とを介して供給される商用電源は、ランプ４を点滅させるためのタッチ式のスイッチ２を介して、ベース１に納装されている点灯回路２７に供給されるとともに、アーム２２の内部に挿通された電線４０によりソケット１３及びランプ４へと供給される。  灯具５は、上セード１１、下セード１２、反射板１５、ソケット１３等からなり、上セード１１の開口下面を略覆う様に下セード１２と金属製の反射板１５とが配設されている。下セード１２と反射板１５とは、上セード１１の内壁面であってその短手方向に略平行に設けた短手方向リブ３２によって位置決めされる。上セード１１の背面（図２中の支柱３側）略中央には穴部３１が設けられている。上セード１１の下面には３つのネジ受け部が設けられ、２つのねじ１７を下セード１２に設けた貫通穴３３を介してネジ受け部にねじ込むことにより下セード１２を上セード１１の下面側に固定配置している。また、１つのねじ１８をランプ支持バネ１６に設けた貫通穴及び反射板１５に設けた貫通穴を介してネジ受け部にねじ込むことにより反射板１５、ランプ支持バネ１６を上セード１１の下面側に固定配置している。
【００２０】
反射板１５はランプ４の光を灯具５の下方へ反射するものである。ソケット１３は下セード１２に設けたソケット台３４に設置される。
【００２１】
支柱３は、内部に電線４０を通線可能なアーム２２が挿入されており、アーム２２を納装するように樹脂製のパイプで覆われている。その樹脂製パイプは、灯具５に近い上半分側がプレシキブルパイプ状になっており、その部分を伸縮することにより灯具５を自在に動かすことができる。
【００２２】
ベース１は、その一部に略半円筒状の凸部８を設けてなる底面開口のカバー３０と、カバー３０の底面側を覆うように設けられる底板２５とからなる。底板２５は、底板２５に設けたネジ穴を介してカバー３０の内壁面に設けたネジ受部（図示せず）にネジ２８をねじ込むことによりカバー３０に固定される。底板２５には、点灯ブロック２７とスイッチ２とが絶縁板を介してネジで固定されている。また、底板２５に設けた穴部から臨むように転倒スイッチ２６が設けられている。カバー３０の背面側（図２中の支柱３側）には、アーム２２の下端部が貫通する貫通穴２３が形成され、アーム２２の基端部に形成されたネジ部を貫通穴２３に貫通させてから、カバー３０の内部でアーム２２のネジ部にナット及びワッシャ４３を螺着させることにより、アーム２２（及び支柱３）をベース１に固定する。
【００２３】
スイッチ２は、凸部８に設けた穴部２４から臨むように設けられ、スイッチ２をオンオフすることによりランプ４を点滅させるものである。転倒スイッチ２６は、転倒スイッチ２６がオフされる程度に照明器具が傾くと、ランプ４を消灯させるものである。
【００２４】
アーム２２の先端部には、取付金具２０が上セード１１の短手方向に略平行な向きに装着されている。この取付金具２０は、略板状の板金を略階段状に曲折し、２つの平面の各々の略中央にはネジ穴が設けられてなる。また、上セード１１の内壁面略中央には、支持金具１４が、上セード１１の長手方向に略平行な向きにネジ１９により装着されている。この支持金具１４は、略板状の板金であり、３つのネジ穴が略等間隔で設けられ、両端の２つのネジ穴は、支持金具１４を上セード１１の内壁面に装着する為のものである。
【００２５】
そして、取付金具２０の先端側に設けたネジ穴と支持金具１４の略中央に設けたネジ穴とを介して、上セード１１の内壁面に設けたネジ受け部（図示しない）にネジ２１をねじ込むことにより、取付金具２０と支持金具１４とを互いに固定する。また、取付金具２０の他方のネジ穴を介して上セード１１の支柱３近くの内壁面に設けたネジ受け部（図示しない）にネジ２１をねじ込む。よって、取付金具２０の先端部を上セード１１の内壁面に固定することができ、取付金具２０及び支持金具１４を介して、支柱３の先端部に灯具５を安定して嵌着することができる。
【００２６】
上セード１１の内壁面の長手方向には反射板１５を位置決めする２つのリブ３７が形成されており、リブ３７に反射板１５の端部を当接することにより反射板１５を配設する。このリブ３７の下端部は上セード１１の内壁面側に傾斜し、反射板１５の長手方向端部もリブ３７の該傾斜に沿った角度で折り曲げられて形成されているので、反射板１５を上セード１１に取付ける際には、上セード１１と反射板１５とが互いに適正に係合しあう。
【００２７】
以上の様に構成することにより、上セード１１と反射板１５との間の隙間を小さくすることができる。また、仮に、上セード１１や反射板１５に反りや歪みなどが発生しても、上セード１１と反射板１５とが互いに食い込むように係合しあうので、互いに適合に係合しあうことができ、該反りや歪みなどを矯正することができる。また、反射板１５の配置位置を簡単に合せることができ、反射板１５の取付バラツキを抑制することができる。
【００２８】
なお、本発明に適応するものであれば、照明器具の構造は前述のものに限らず何でも良い。
【００２９】
【発明の効果】
請求項１乃至請求項５に記載の発明によれば、反射板を確実に上セードの内壁面に固定することが可能な照明器具を提供できる。
【図面の簡単な説明】
【図１】本発明に係る照明器具の斜視図を示す。
【図２】本発明に係る照明器具の分解斜視図を示す。
【図３】本発明に係る照明器具の、（ａ）正面図、（ｂ）右側面図を示す。
【図４】本発明に係る照明器具の側面断面図を示す。
【図５】本発明に係る照明器具灯具の側面断面図を示す。
【図６】本発明に係る従来例の照明器具灯具の側面断面図を示す。
【符号の説明】
１        ベース
３        支柱
４        ランプ
５        灯具
３７      リブ
【図１】
0004300660.tif 000002
【図２】
0004300660.tif 000003
【図３】
0004300660.tif 000004
【図４】
0004300660.tif 000005
【図５】
0004300660.tif 000006
【図６】
0004300660.tif 000007